(57)【特許請求の範囲】
【請求項１】
撮影レンズの撮影光路上に絞りを備えると共に、該撮影光路上に挿脱される１又は複数のエクステンダーレンズを搭載し、該エクステンダーレンズの挿脱により、前記撮影レンズの撮影倍率を変換する倍率を示すエクステンダー倍率を切り換えるエクステンダー搭載レンズ装置において、
絞り位置を指示する情報を取得する絞り情報取得手段と、
絞り位置の補正基準を前記エクステンダーレンズの挿脱により切り換え可能な前記エクステンダー倍率の中から選択するための補正基準選択手段と、
現在のエクステンダー倍率におけるＦナンバーが、前記補正基準選択手段により選択されたエクステンダー倍率において前記絞り情報取得手段により取得した絞り位置に前記絞りを設定したときのＦナンバーと等しくなるように、現在のエクステンダー倍率において前記絞りを設定する絞り位置として、前記絞り情報取得手段により取得した絞り位置に現在のエクステンダー倍率に対応したオフセット量を加算した絞り補正位置を求める絞り位置補正手段と、
前記絞りを前記絞り位置補正手段により求めた絞り補正位置に設定する絞り設定手段と、
を備えたことを特徴とするエクステンダー搭載レンズ装置。
【請求項２】
前記撮影レンズが、撮影画像のアスペクト比を１６：９と４：３とで切り換え可能なカメラに対応した撮影レンズであって、前記アスペクト比が４：３のときの撮影画角を、前記アスペクト比が１６：９のときの撮影画角と一致させるためのレシオコンバータレンズを前記エクステンダーレンズとして備えた撮影レンズの場合において、
前記アスペクト比が１６：９のときには前記絞り位置の補正基準を１倍のエクステンダー倍率とし、前記アスペクト比が４：３のときには、前記絞り位置の補正基準を、前記補正基準選択手段により、１倍のエクステンダー倍率と、レシオコンバータレンズの倍率とで選択できるようにしたことを特徴とする請求項１のエクステンダー搭載レンズ装置。
【発明の詳細な説明】
【０００１】
【発明の属する技術分野】
本発明はエクステンダー搭載レンズ装置に係り、特にエクステンダーレンズにより撮影倍率が変換されると絞り位置を自動で調整して画面の明るさを一定に保持するエクステンダー搭載レンズ装置に関する。
【０００２】
【従来の技術】
近年、放送用テレビカメラ等の分野では、アスペクト比４：３とアスペクト比１６：９を選択的に切り替えることができるカメラが実用化されている。この種のスイッチャブル対応カメラでは、例えば、撮像面に１６：９のＣＣＤ素子が用いられ、アスペクト比４：３に設定された場合には、ＣＣＤ素子の左右の一部領域を使用せず、中央部のアスペクト比４：３の領域のみを使用するようにしている。従って、アスペクト比４：３に設定した場合には画角が約２０％狭くなり、画面に映る映像は見かけ上望遠側にシフトする。
【０００３】
このような不具合を解消するために、カメラをアスペクト比４：３で使用する場合には、撮影光路上に約０．８倍（以下、単に０．８倍という。）の変換レンズ（レシオコンバータレンズ）を挿入してイメージサイズを変更し、撮影画角をアスペクト比１６：９とアスペクト比４：３とで略同一にするレシオコンバータ搭載のレンズ装置が知られている。
【０００４】
また、上述のレシオコンバータレンズと共に、円板状のターレットに例えば１倍と２倍の変倍レンズ（エクステンダーレンズ）を配置し、ターレットを回転させることにより撮影光路上にこれらのレンズを挿脱して撮影倍率を０．８倍、１倍、２倍（アスペクト比４：３で使用している場合には見かけ上約１倍、１．２倍、２．４倍）に切り換えらえるようにし、レシオコンバータの機能と撮影倍率を高倍に切り換える機能とを搭載したエクステンダー搭載のレンズ装置も知られている。尚、本明細書では、特に区別しない限りレシオコンバータレンズもエクステンダーレンズの一種として扱うことにする。
【０００５】
ところで、上述のようなエクステンダー搭載のレンズ装置では、エクステンダーの倍率（撮影光路上に挿入されるエクステンダーレンズの倍率）が切り換えられると、撮影光学系の焦点距離に変化が生じて画面の明るさが変化する。このため、コントローラ等からのコントロール信号により絞りをモータ駆動している場合には、エクステンダーの倍率が切り換えられると、絞り位置（絞り径）を自動で補正してＦナンバーを一定にし、画面の明るさが変化しないようにしたものが知られている。
【０００６】
【発明が解決しようとする課題】
しかしながら、上述のようにエクステンダーの倍率に応じて絞り位置を補正すると、絞りの調整可能な範囲が実際の絞りの可動範囲より狭く制限されてしまうという欠点があった。例えば、１倍のエクステンダーレンズを使用している場合（１倍のエクステンダーレンズを撮影光路上に挿入している場合）を基準にＦナンバーを一定に制御しようとした場合、１倍から２倍のエクステンダーレンズに切り換えられると、絞り径は、画面を明るくする方向、即ち、大きくなる方向にシフトする。このため、絞り径をある程度小さくすると、コントローラ等によって指示できる絞り径が下限に達し、それ以上絞り径を小さくすることができなくなるという問題が生じていた。
【０００７】
また、カメラのアスペクト比を４：３で使用する場合等に、０．８倍のエクステンダーレンズ（レシオコンバータレンズ）を使用すると、絞り径は、１倍のエクステンダーレンズを使用している場合に比べて画面を暗くする方向、即ち、小さくなる方向にシフトする。このため、絞り径をある程度大きくすると、コントローラ等によって指示できる絞り径が上限に達し、それ以上絞り径を大きくすることができなくなるという問題が生じていた。
【０００８】
このようにエクステンダーの倍率によって絞りの調整可能な範囲に制限が加わると、絞りの能力を有効に生かすことができず、好適に画面の明るさを調整することができない場合があった。特に、カメラをアスペクト比４：３で使用する場合において、基本的な撮影倍率を提供する０．８倍のエクステンダーレンズ（レシオコンバータレンズ）を使用しているときに、画面を明るくする（絞り径を大きくする）方向に制限を受けるのは望ましくないという場合があった。
【０００９】
本発明はこのような事情に鑑みてなされたもので、エクステンダーの倍率が切り換えられると、Ｆナンバーが一定となるように絞りを補正し、画面の明るさを一定にするようにしたエクステンダー搭載レンズ装置において、撮影光路上に挿入された所要のエクステンダーレンズに対して好適に絞りを調整できるようにしたエクステンダー搭載レンズ装置を提供することを目的とする。
【００１１】
【課題を解決するための手段】
前記目的を達成する為に、請求項１に記載の発明は、撮影レンズの撮影光路上に絞りを備えると共に、該撮影光路上に挿脱される１又は複数のエクステンダーレンズを搭載し、該エクステンダーレンズの挿脱により、前記撮影レンズの撮影倍率を変換する倍率を示すエクステンダー倍率を切り換えるエクステンダー搭載レンズ装置において、絞り位置を指示する情報を取得する絞り情報取得手段と、絞り位置の補正基準を前記エクステンダーレンズの挿脱により切り換え可能な前記エクステンダー倍率の中から選択するための補正基準選択手段と、現在のエクステンダー倍率におけるＦナンバーが、前記補正基準選択手段により選択されたエクステンダー倍率において前記絞り情報取得手段により取得した絞り位置に絞りを設定したときのＦナンバーと等しくなるように、現在のエクステンダー倍率において前記絞りを設定する絞り位置として、前記絞り情報取得手段により取得した絞り位置に現在のエクステンダー倍率に対応したオフセット量を加算した絞り補正位置を求める絞り位置補正手段と、前記絞りを前記絞り位置補正手段により求めた絞り補正位置に設定する絞り設定手段と、を備えたことを特徴としている。
【００１２】
本発明によれば、エクステンダーレンズの挿脱によりエクステンダー倍率が切り換えられた際にエクステンダー倍率にかかわらずＦナンバーを一定にする絞りの補正の基準を所望のエクステンダー倍率に切り換えられるようにしたため、絞り調整範囲に制限を受けたくないエクステンダー倍率を補正の基準とすることで、このエクステンダー倍率において絞り補正による絞り調整範囲の制限がなく、好適に絞り調整を行うことができるようになる。
【００１３】
【発明の実施の形態】
以下添付図面に従って本発明に係るエクステンダー搭載レンズ装置の好ましい実施の形態について詳説する。
図１は本発明に係るエクステンダー搭載レンズ装置の一実施の形態を示した構成図である。本レンズ装置は、テレビカメラ等に使用されるもので、その撮影光路上には、エクステンダーレンズ１０、絞り１２、ズームレンズ１４、フォーカスレンズ１６等の光学部材が配置される。また、これらのレンズ１０、１４、１６及び絞り１２を駆動する駆動モータ１８、２０、２２、２４及び各種制御回路２６、２８、３０、３２や、プログラムによって各種演算処理を行うＣＰＵ３４等が搭載されている。
【００１４】
前記エクステンダーレンズ１０は、図２に示すように円板状のターレット７０に配設される１倍のエクステンダーレンズＥＸＴ１、２倍のエクステンダーレンズＥＸＴ２又は約０．８倍（以下、単に０．８倍とする。）のエクステンダーレンズ（レシオコンバータレンズ）Ｒ．Ｃを示したもので、ターレット７０が回動することにより、撮影光路上に挿入されるエクステンダーレンズ１０の種類が切り換えられ、撮影光学系の倍率が切り換えられるようになっている。前記駆動モータ１８は、エクステンダー（ＥＸＴ）制御回路２６によって制御されるようになっており、このＥＸＴ制御回路２６は、前記駆動モータ１８に設置されたタコジェネレータ３６の検出信号を参照しながら、ＣＰＵ３４から入力される指示信号に従って前記駆動モータ１８を駆動するようにしている。これにより、ＣＰＵ３４によって指示された所要の倍率のエクステンダーレンズ１０が撮影光路上に挿入されるようになっている。尚、ターレット７０の回転位置、即ち、撮影光路上に挿入されているエクステンダーレンズの倍率は、位置センサー３８によって検出され、その検出信号はＣＰＵ３４に入力される。また、エクステンダーレンズを撮影光路上に挿脱させる機構は、ターレットを使用するものに限られない。
【００１５】
前記絞り１２は、前記駆動モータ２０の駆動によって絞り位置（絞り径）が変化するようになっている。駆動モータ２０は、アイリス制御回路２８によって制御されるようになっており、このアイリス制御回路２８は、前記駆動モータ２０に設置されたタコジェネレータ４０の検出信号と、絞り位置を検出するポテンショメータ４２の検出信号を参照しながら、ＣＰＵ３４からＤ／Ａ変換器４４を介して入力される指示信号に従って前記駆動モータ２０を駆動するようにしている。これにより、ＣＰＵ３４によって指示された位置に絞り１２が設定される。尚、前記ポテンショメータ４２の検出信号は、Ａ／Ｄ変換器４６を介してＣＰＵ３４にも入力されるようになっている。
【００１６】
前記ズームレンズ１４及びフォーカスレンズ１６は、それぞれ駆動モータ２２、２４によって光軸方向に移動する。駆動モータ２２、２４は、それぞれズーム制御回路３０、フォーカス制御回路３２によって制御されるようになっており、これらのズーム制御回路３０及びフォーカス制御回路３２は、駆動モータ２２、２４に設置されたタコジェネレータ４８、５０の検出信号と、ズームレンズ１４及びフォーカスレンズ１６のそれぞれの位置を検出するポテンショメータ５２、５４の検出信号とを参照しながら、ＣＰＵ３４からＤ／Ａ変換器５６、５７を介して入力される指示信号に従って前記駆動モータ２２、２４を駆動するようにしている。これにより、ＣＰＵ３４によって指示された位置にズームレンズ１４及び、フォーカスレンズ１６が移動する。尚、前記ポテンショメータ５２、５４の検出信号は、Ａ／Ｄ変換器５８、５９を介してＣＰＵ３４に入力されるようになっている。
【００１７】
また、ＣＰＵ３４には、カメラマン等によってマニュアル操作されるコントローラから或いはカメラ本体から各種コントロール信号が入力されるようになっている。図１には、その信号の一部（特にコントローラから入力される信号）が示されており、例えばコントローラからは、撮影光路上に挿入するエクステンダーレンズ１０の種類（倍率）を選択するエクステンダーコントロール信号（ＥＸＴコントロール信号）、絞り位置を示すアイリスコントロール信号、絞りをオートモードで制御するかリモート（マニュアル）モードで制御するかを選択するＡ／Ｒ信号、ズームレンズの移動速度を指示するズームコントロール信号、フォーカスの設定位置を指示するフォーカスコントロール信号等がＣＰＵ３４に入力されるようになっている。尚、アイリスコントロール信号、ズームコントロール信号、フォーカスコントロール信号は、それぞれＡ／Ｄ変換器６０、６２、６４を介してＣＰＵ３４に入力されるようになっている。また、ＥＸＴコントロール信号は、同図に示すように‘EXT CTRL1 ’、‘EXT CTRL2 ’、‘RATIO ’の３つの信号からなり、それぞれ１倍のエクステンダーレンズＥＸＴ１、２倍のエクステンダーレンズＥＸＴ２、レシオコンバータレンズ（０．８倍のエクステンダーレンズ）Ｒ．Ｃに対してカメラマンが撮影光路上への挿入を指示したか否かの信号を示している。また、上記Ａ／Ｒ信号によって選択される絞りのオートモードは、自動絞り制御によってカメラから入力されるコントロール信号により絞りを制御するものであり、絞りのリモートモードは、カメラマンのマニュアル操作によってコントローラから入力される前記アイリスコントロール信号により絞りを制御するものである。
【００１８】
ＣＰＵ３４は、上述のようにコントローラから入力されるＥＸＴコントロール信号、アイリスコントロール信号、ズームコントロール信号及びフォーカスコントロール信号に基づいて、上記各制御回路２６、２８、３０、３２に指示信号を出力し、エクステンダーレンズ１０、絞り１２、ズームレンズ１４、フォーカスレンズ１６の制御を行う。
【００１９】
特に、ＣＰＵ３４の絞り制御において、前記Ａ／Ｒ信号によって絞りのリモートモードが選択されている場合には、コントローラから入力されるアイリスコントロール信号をエクステンダーの倍率（撮影光路上に挿入されているエクステンダーレンズ１０の倍率）に応じて補正して絞りを補正し、エクステンダーの倍率が切り換えられた際にも画面の明るさが一定（Ｆナンバーが一定）となるように制御を行っている。尚、絞り制御についての詳細は後述する。
【００２０】
また、レンズ装置には、上記絞り補正に関して、補正基準を切り換える補正基準切換スイッチ６６と、絞り補正を解除する補正解除スイッチ６８とが設けられるようになっている。補正基準は、上記絞り補正においてＦナンバーを一定にするための基準となるＦナンバーを提供するエクステンダー倍率若しくはエクステンダーレンズの種類を示している。即ち、補正基準となるエクステンダーレンズが撮影光路上に挿入されているときには絞り補正を行わず、このときのＦナンバーと一致するように他のエクステンダーレンズが使用されている場合の絞り位置を補正する。通常は１倍のエクステンダーレンズＥＸＴ１に設定されているが、前記補正基準切換スイッチ６６によって補正基準をレシオコンバータレンズＲ．Ｃに切り換えられるようになっている。尚、これらの補正基準切換スイッチ６６及び補正解除スイッチ６８の作用についての詳細は後述する。
【００２１】
次に、上述の如く構成されたエクステンダー搭載レンズ装置の絞り制御について説明する。図３は、ＣＰＵ３４の絞り制御の処理手順を示したフローチャートである。まず、ＣＰＵ３４は、ＥＸＴコントロール信号を読み込む（ステップＳ１０）。即ち、ターレット７０の１倍のエクステンダーレンズＥＸＴ１、２倍のエクステンダーレンズＥＸＴ２及びレシオコンバータレンズＲ．Ｃのうちどのレンズを使用するか、即ち、どのレンズを撮影光路上に挿入するかをコントローラから読み込む。次いでカメラのアスペクト比が１６：９であるか、又は４：３であるかをカメラから読み込む（ステップＳ１２）。尚、カメラのアスペクト比は、カメラからの信号ではなく、アスペクト比を選択するスイッチ等の他の手段によって判定するようにしてもよい。ここで、まず、カメラのアスペクト比が１６：９であると判定した場合について説明する。
【００２２】
カメラのアスペクト比が１６：９である場合、ＣＰＵ３４は、上述のステップＳ１０において読み込んだＥＸＴコントロール信号が２倍のエクステンダーレンズＥＸＴ２の使用を選択しているか否かを判定する（ステップＳ１４）。このとき、ＮＯ、即ち、１倍のエクステンダーレンズＥＸＴ１の使用を選択している場合には、１倍のエクステンダーレンズＥＸＴ１の使用を指示する指示信号をＥＸＴ制御回路２６に出力し、ターレット７０を回動させて１倍のエクステンダーレンズＥＸＴ１を撮影光路上に挿入させる（ステップＳ１６）。そして、パラメータ（オフセット量）iv.offset を０の値にセットする（ステップＳ１８）。一方、ステップＳ１４において、ＹＥＳ、即ち、２倍のエクステンダーＥＸＴ２の使用が指示されている場合には、２倍のエクステンダーレンズＥＸＴ２の使用を指示する指示信号をＥＸＴ制御回路２６に出力し、ターレット７０を回動させて２倍のエクステンダーレンズＥＸＴ２を撮影光路上に挿入させる（ステップＳ２０）。そして、パラメータiv.offset に所定のオフセット量V02 をセットする（ステップＳ２２）。
【００２３】
次にＣＰＵ３４は、アイリスコントロール信号を読み込む（ステップＳ２４）。尚、アイリスコントロール信号の値は設定すべき絞り位置（絞り径）を示しており、その値をパラメータIRIS.CTRL で表す。次に、ＣＰＵ３４はＡ／Ｒ信号を読み込み、このＡ／Ｒ信号によって絞りがオートモードかリモートモード（マニュアルモード）かを判定する（ステップＳ２６）。このときオートモードが選択されていると判定した場合には、アイリスコントロール信号の値IRIS.CTRL を補正せず、リモートモードが選択されていた場合には、アイリスコントロール信号の値IRIS.CTRL に上記ステップＳ１８又はステップＳ２２で設定したiv.offset の値を加算し、これによって得られた値を新たにIRIS.CTRL とする（ステップＳ２８）。即ち、１倍のエクステンダーレンズＥＸＴ１を使用している場合には、オフセット量０をアイリスコントロール信号の値IRIS.CTRL に加算し、２倍のエクステンダーレンズＥＸＴ２を使用している場合には、オフセット量V02 をアイリスコントロール信号の値IRIS.CTRL に加算する。そして、ＣＰＵ３４は、アイリス制御回路２８に指示信号を出力し、前記補正によって得られたパラメータIRIS.CTRL の値に対応する位置に絞りを設定する。これにより、アイリスコンロール信号の値が同一の場合には、エクステンダーの倍率にかかわらずＦナンバーが一定となるように絞りが制御され、画面の明るさが一定に保持される。
【００２４】
ここで、上述のアイリスコントロール信号の値IRIS.CTRL を補正するための補正量（オフセット量iv.offset ）について図４を用いて説明する。図４は、同図（ａ）に示す絞り位置（絞り径）の可動範囲Ａ〜Ｂに対して、絞り位置を指定するアイリスコントロール信号の値IRIS.CTRL の範囲ＶA 〜ＶB （同図（ｂ））と、１倍のエクステンダーレンズＥＸＴ１、２倍のエクステンダーレンズＥＸＴ２及びレシオコンバータレンズＲ．Ｃがそれぞれ撮影光路上に挿入されているときのＦナンバーの範囲（同図（ｃ）、（ｄ）、（ｅ））とを示した関係図である。
【００２５】
同図（ａ）、（ｂ）に示すように絞り位置の可動範囲Ａ〜Ｂに対してアイリスコントロール信号の値IRIS.CTRL はＶA 〜ＶB の範囲で対応付けられている。また、１倍のエクステンダーレンズＥＸＴ１が撮影光路上に挿入されている場合、同図（ｃ）に示すように絞り位置の可動範囲Ａ〜Ｂに対してＦナンバーは1.4 〜16の範囲で変化する。尚、このＦナンバーの数値範囲は一例を示したものでこれに限らない。２倍のエクステンダーレンズＥＸＴ２が撮影光路上に挿入された場合、同図（ｄ）に示すように絞り位置の可動範囲Ａ〜Ｂに対してＦナンバーは全体に大きくなる方向にシフトし、同図（ｃ）で示したＦナンバーの範囲1.4 〜16と同一となる範囲は、図中左側にシフトする。また、レシオコンバータレンズＲ．Ｃが撮影光路上に挿入された場合、同図（ｅ）に示すように絞り位置の可動範囲Ａ〜Ｂに対してＦナンバーは全体に小さくなる方向にシフトし、同図（ｃ）で示したＦナンバーの範囲1.4 〜16と同一となる範囲は、図中右側にシフトする。従って、アイリスコントロール信号の値IRIS.CTRL が示す位置に絞りを設定すると、エクステンダーの倍率によってＦナンバーが異なりエクステンダーの倍率を切り換えた際に画面の明るさが変化することとなる。
【００２６】
そこで、上述の絞り制御では、１倍のエクステンダーレンズＥＸＴ１が撮影光路上に挿入された場合のＦナンバーを基準（１倍のエクステンダーレンズＥＸＴ１を補正基準）とし、２倍のエクステンダーレンズＥＸＴ２が撮影光路上に挿入された場合には、Ｆナンバーの範囲1.4 〜16がシフトする量、即ち、同図に示すオフセット量V02 （＜０）をアイリスコントロール信号の値IRIS.CTRL に加算し、これによって得られた値が示す位置に絞りを設定するようにしている。これにより、アイリスコントロール信号の値IRIS.CTRL が同一のときには、同図点線ａ、ｂで示すように１倍のエクステンダーレンズＥＸＴ１と２倍のエクステンダーレンズＥＸＴ２とでＦナンバーが同一となる。上述したステップＳ１８とステップＳ２２のオフセット量iv.offset は、このようにアイリスコントロール信号の値IRIS.CTRL に対してＦナンバーを一定にするために加算する補正量であり、１倍のエクステンダーレンズＥＸＴ１が挿入された場合には０、２倍のエクステンダーレンズＥＸＴ２が挿入された場合には前記V02 の値が代入され、ステップＳ２８において、このオフセット量iv.offset がアイリスコントロール信号の値IRIS.CTRL に加算されるようになっている。
【００２７】
また、上記フローチャートでは、アスペクト比が１６：９の場合にはレシオコンバータレンズＲ．Ｃの使用については考慮していなかったが、レシオコンバータレンズＲ．Ｃは０．８倍のエクステンダーレンズとして使用することも可能であり、この場合にも、Ｆナンバーを一定にする絞りの制御が可能である。このときにアイリスコントロール信号の値IRIS.CTRL に加算するオフセット量iv.offset は、レシオコンバータレンズＲ．Ｃが撮影光路上に挿入された場合にＦナンバーの範囲1.4 〜16がシフトする量、即ち、同図に示すオフセット量V01 （＞０）であり、このオフセット量V01 をアイリスコントロール信号の値IRIS.CTRL に加算する。これにより、アイリスコントロール信号の値IRIS.CTRL が同一のときには、同図点線ａ、ｃで示すように１倍のエクステンダーレンズＥＸＴ１とレシオコンバータレンズＲ．ＣとでＦナンバーが同一となる。
【００２８】
次に、上記ステップＳ１２において、カメラのアスペクト比が４：３であると判定した場合について説明する。カメラのアスペクト比が４：３である場合、ＣＰＵ３４は、補正基準切換スイッチ６６と、補正解除スイッチ６８の状態を読み込み（ステップＳ３０）、まず、補正基準が１倍のエクステンダーレンズＥＸＴ１に設定されているかレシオコンバータレンズＲ．Ｃに設定されているかを判定する（ステップＳ３２）。ここで、補正基準が１倍のエクステンダーレンズＥＸＴ１に設定されていると判定した場合、１倍のエクステンダーレンズＥＸＴ１及び２倍のエクステンダーレンズＥＸＴ２を使用している場合のオフセット量offset.x1 、offset.x2 をそれぞれ０、V22 とする（ステップＳ３４、Ｓ３６）。即ち、補正基準が１倍のエクステンダーレンズＥＸＴ１に設定されている場合には、図４で説明したように１倍のエクステンダーレンズＥＸＴ１を使用している場合にアイリスコントロール信号の値IRIS.CTRL に加算するオフセット量を０とし、２倍のエクステンダーレンズＥＸＴ２を使用している場合にアイリスコントロール信号の値IRIS.CTRL に加算するオフセット量をV22 に設定する。尚、オフセット量V22 は図４で示したオフセット量V02 に等しい。
【００２９】
次に、ＣＰＵ３４は、補正解除スイッチ６８が補正解除の状態にあるか否かを判定する（ステップＳ３８）、補正解除スイッチ６８は、レシオコンバータレンズＲ．Ｃを使用している場合に、上述の絞り補正を解除するためのスイッチであり、ＣＰＵ３４は、補正解除スイッチ６８によって補正が解除されたと判定した場合にはアイリスコントロール信号の値IRIS.CTRL に加算するオフセット量を示すパラメータoffset.AUXを０に設定する（ステップＳ４０）。即ち、図４（ｅ）に示したように、レシオコンバータレンズＲ．Ｃを使用している場合に、アイリスコントロール信号を補正すると、絞り位置は、Ｆナンバーが1.4 〜16の範囲に制限され、絞りの全可動範囲Ａ〜Ｂを有効に使用することができない。そこで、この補正解除スイッチ６８によって補正を解除することで、絞り補正よりも優先させて絞りを全可動範囲Ａ〜Ｂで有効に使用することができるようになり、Ｆナンバー1.4 よりも明るい画面を得ることができるようになっている。
【００３０】
上記ステップＳ３８において補正が解除されていないと判定した場合には前記パラメータoffsetAUX をV23 に設定する（ステップＳ４２）。尚、V23 は図４で示したオフセット量V01 の値に等しい。この場合には、アイリスコントロール信号が一定の場合にはエクステンダーの倍率にかかわらず一定のＦナンバーとなるように絞りが制御される。
【００３１】
一方、上記ステップＳ３２において、補正基準がレシオコンバータＲ．Ｃに設定されている場合、パラメータoffset.x1 、offset.x2 、offset.AUXにそれぞれV11 、V12 、０を代入する（ステップＳ４４、４６、４８）。補正基準がレシオコンバータＲ．Ｃに設定されている場合には、レシオコンバータレンズＲ．Ｃが撮影光路上に挿入されたときのＦナンバーを基準とする（レシオコンバータレンズＲ．Ｃが撮影光路上に挿入されている場合のオフセット量offset.AUXを０とする）もので、この場合、図５（ａ）に示す絞りの全可動範囲Ａ〜Ｂに対して図５（ｅ）に示すようにＦナンバーの範囲がＦA （＜1.4 ）〜Ｆb （＞11）にシフトする。そして、１倍のエクステンダーレンズＥＸＴ１及び２倍のエクステンダーレンズＥＸＴ２が撮影光路上に挿入された場合に、アイリスコントロール信号の値IRIS.CTRL に加算するオフセット量offset.x1 、offset.x2 はそれぞれＦナンバーの範囲ＦA 〜Ｆb がシフトした量であり、図５中に示されるオフセット量V11 、V12 となる。この場合には、カメラのアスペクト比が４：３の場合において基本的な撮影倍率（１倍）を提供するレシオコンバータレンズＲ．Ｃを使用してるときに、絞りを全可動範囲Ａ〜Ｂで使用することができるため、画面の明るさを好適に調整することができ、また、同図点線ａ、ｂ、ｃに示すようにアイリスコントロール信号の値が同一の場合には、エクステンダー倍率にかかわらずＦナンバーが一定に保持されるようになる。
【００３２】
次に、上述のステップＳ１０において読み込んだＥＸＴコントロール信号がレシオコンバータレンズＲ．Ｃの使用を指示しているか否かを判定する（ステップＳ５０）。このとき、ＹＥＳ、即ち、レシオコンバータレンズＲ．Ｃの使用を指示している場合には、ＥＸＴ制御回路２６にレシオコンバータレンズＲ．Ｃの使用を指示する指示信号を出力し、ターレット７０を回動させてレシオコンバータレンズＲ．Ｃを撮影光路上に挿入させる（ステップＳ５２）。そして、パラメータiv.offset に上記オフセット量offset.AUXを代入する（ステップＳ５４）。
【００３３】
一方、ステップＳ５０においてＮＯの場合、次に、上述のステップＳ１０において読み込んだＥＸＴコントロール信号が２倍のエクステンダーレンズＥＸＴ２の使用を指示しているか否かを判定する（ステップＳ５６）。このとき、ＹＥＳ、即ち、２倍のエクステンダーレンズＥＸＴ２の使用を指示している場合には、ＥＸＴ制御回路２６に２倍のエクステンダーレンズＥＸＴ２の使用を指示する指示信号を出力し、ターレット７０を回動させて２倍のエクステンダーレンズＥＸＴ２を撮影光路上に挿入させる（ステップＳ５８）。そして、パラメータiv.offset に上記オフセット量offset.x2 を代入する（ステップＳ６０）。
【００３４】
更に、ステップ５６においてＮＯと判定した場合、１倍のエクステンダーレンズＥＸＴ１の使用が指示されていることになり、ＥＸＴ制御回路２６に１倍のエクステンダーレンズＥＸＴ１の使用を指示する指示信号を出力し、ターレット７０を回動させて１倍のエクステンダーレンズＥＸＴ１を撮影光路上に挿入させる（ステップＳ６２）。そして、パラメータiv.offset に上記オフセット量offset.x1 を代入する（ステップＳ６４）。
【００３５】
次にＣＰＵ３４は、上述したのと同様にコントローラからアイリスコントロール信号を読み込み（ステップＳ２４）、そのアイリスコントロール信号によって示される絞り位置をパラメータIRIS.CTRL に代入する。そして、ＣＰＵ３４はＡ／Ｒ信号を読み込み、このＡ／Ｒ信号によって絞りがオートモードかリモートモードかを判定する（ステップＳ２６）。このときオートモードが選択されていた場合には、パラメータIRIS.CTRL を補正せず、リモートモードが選択されていた場合には、パラメータIRIS.CTRL に上記iv.offset を加算し、これによって得られた値を新たにIRIS.CTRL とする（ステップＳ２８）。そして、ＣＰＵ３４は、アイリス制御回路２８に指示信号を出力し、前記補正によって得られたパラメータIRIS.CTRL の値に対応する位置に絞りを設定する。
【００３６】
以上、説明したように、補正解除スイッチ６８によってレシオコンバータレンズＲ．Ｃを使用しているときに上記絞り補正を解除できるようにしたため、レシオコンバータレンズＲ．Ｃを使用している場合において絞りを全可動範囲で有効に使用することができるようになる。また、同様に、補正基準切換スイッチ６６によって補正基準を１倍のエクステンダーレンズＥＸＴ１からレシオコンバータレンズＲ．Ｃに切り換えられるようにしたため、レシオコンバータレンズＲ．Ｃを使用している場合において絞りを全可動範囲で有効に使用することができるようになる。尚、上述のフローチャートでは、補正基準切換スイッチ６６及び補正解除スイッチ６８は、カメラのアスペクト比４：３のときにのみ有効に作用するようにしたが、カメラのアスペクト比にかかわらず有効に作用するようにしてもよい。また、補正基準切換スイッチ６６又は補正解除スイッチ６８の何れかを設けるようにしてもよい。更に、補正解除スイッチ６８によってレシオコンバータレンズＲ．Ｃを使用している場合の補正を解除した場合に、２倍のエクステンダーレンズＥＸＴ２（又は１倍のエクステンダーレンズＥＸＴ１）を使用したときの補正基準をレシオコンバータレンズＲ．Ｃに切り換えてもよい。
【００３７】
尚、上記実施の形態では、レシオコンバータレンズＲ．Ｃが使用されている場合において絞りを全可動範囲で調整可能にするように絞りの補正を解除できるようにし又は補正基準を切り換えられるようにしたが、レシオコンバータレンズＲ．Ｃを使用している場合に限らず、また、レシオコンバータレンズＲ．Ｃが搭載されていないエクステンダー搭載レンズ装置の場合に、所要のエクステンダーレンズを使用しているときに、絞りの補正を解除できるようにし又は補正基準をそのエクステンダーレンズに切り換えられるようにして絞りを全可動範囲で調整できるようにしてもよい。例えば、２倍のエクステンダーレンズを使用している場合に、補正を解除できるようにすることにより、図４（ｄ）に示したように画面を暗くする方向への絞りの制限が解除され、絞りを全可動範囲で使用することができるようになる。また、補正基準を所望のエクステンダーレンズに選択できるようにしてもよいし、補正解除を所定の１つのエクステンダーレンズに対してだけでなく、複数又は全てのエクステンダーレンズに対して有効に作用させるようにしてもよい。
【００３８】
【発明の効果】
以上説明したように本発明によれば、エクステンダーレンズの挿脱により撮影倍率が切り換えられた際に撮影倍率にかかわらずＦナンバーを一定にする絞りの補正を行うか否かを選択できるようにしたため、絞り補正による絞り調整範囲の制限を解除することが可能となり、好適に絞り調整を行うことができるようになる。
【００３９】
また、エクステンダーレンズの挿脱により撮影倍率が切り換えられた際に撮影倍率にかかわらずＦナンバーを一定にする絞りの補正の基準を所望の撮影倍率に切り換えられるようにしたため、絞り調整範囲に制限を受けたくない撮影倍率を補正の基準とすることで、この撮影倍率において絞り補正による絞り調整範囲の制限がなく、好適に絞り調整を行うことができるようになる。
【図面の簡単な説明】
【図１】図１は、本発明に係るエクステンダー搭載レンズ装置の一実施の形態を示した構成図である。
【図２】図２は、エクステンダーのターレットの構成を示した構成図である。
【図３】図３は、絞り制御の処理手順を示したフローチャートである。
【図４】図４は、アイリスコントロール信号を補正するための補正量の説明に用いた説明図である。
【図５】図５は、アイリスコントロール信号を補正するための補正量の説明に用いた説明図である。
【符号の説明】
１０…エクステンダーレンズ
１２…絞り
１４…ズームレンズ
１６…フォーカスレンズ
３４…ＣＰＵ
６６…補正基準切換スイッチ
６８…補正解除スイッチ
【図１】
0004305687.tif 000002
【図２】
0004305687.tif 000003
【図３】
0004305687.tif 000004
【図４】
0004305687.tif 000005
【図５】
0004305687.tif 000006